(57)【要約】【課題】その土地における過去の事実および未来の計画を表示する。【解決手段】サーバ１００が、地図データの生成に必要な複数の素材データを取得してデータベースに格納し、利用者端末２００が、所定の操作を受け付けた場合、地図データをサーバ１００へ要求し、サーバ１００が、利用者端末２００から地図データが要求された場合、要求に応じた地図データの作成に必要な素材データをデータベースから検索して読み出し、読み出した素材データに基づいて、複数の時期パターンに応じた地図データを生成して利用者端末２００へ送信し、利用者端末２００が、サーバ１００から送信されてきた地図データを表示する。【選択図】図１
2013041088.tif 000002
【特許請求の範囲】
【請求項１】
利用者が操作する利用者端末と、該利用者端末へ地図データを提供するサーバと、前記地図データの生成に必要な複数の素材データをそれぞれ保有する複数の機関とを有する地図データ提供システムにおいて、
前記サーバは、データベースを有し、前記素材データを前記機関から取得して前記データベースに格納し、前記利用者端末から前記地図データが要求された場合、該要求に応じた地図データの作成に必要な素材データを前記データベースから検索して読み出し、該読み出した素材データに基づいて、複数の時期パターンに応じた前記地図データを生成し、該生成した地図データを前記利用者端末へ送信し、
前記利用者端末は、前記利用者による所定の操作を受け付けた場合、前記地図データを前記サーバへ要求し、前記サーバから送信されてきた地図データを表示することを特徴とする地図データ提供システム。
【請求項２】
請求項１に記載の地図データ提供システムにおいて、
前記サーバは、過去、現在および未来の前記地図データを生成することを特徴とする地図データ提供システム。
【請求項３】
請求項１または請求項２に記載の地図データ提供システムにおいて、
前記利用者端末は、前記地図データを要求する際、該要求する地図データの位置情報を前記サーバへ送信し、
前記サーバは、前記利用者端末から送信されてきた位置情報に応じた地図データを生成することを特徴とする地図データ提供システム。
【請求項４】
請求項３に記載の地図データ提供システムにおいて、
前記利用者端末は、該利用者端末の位置を示す位置情報を取得し、該取得した位置情報を前記サーバへ送信することを特徴とする地図データ提供システム。
【請求項５】
請求項３に記載の地図データ提供システムにおいて、
前記利用者端末は、前記利用者による所定の操作で入力された位置情報を前記サーバへ送信することを特徴とする地図データ提供システム。
【請求項６】
請求項１乃至５に記載の地図データ提供システムにおいて、
前記サーバは、都市計画データ、災害・気象データ、過去・歴史データおよび現在の地図データを前記素材データとして前記機関から取得することを特徴とする地図データ提供システム。
【請求項７】
利用者が操作する利用者端末へ地図データを提供するサーバであって、
前記地図データの作成に必要な複数の素材データを、該素材データを保有する機関から取得する素材データ取得部と、
前記素材データ取得部が取得した素材データを格納するデータベースと、
前記利用者端末から前記地図データを要求された場合、該要求に応じた地図データの作成に必要な素材データを前記データベースから検索して読み出す素材データ検索部と、
前記素材データ検索部が読み出した素材データに基づいて、複数の時期パターンに応じた前記地図データを生成する地図データ生成部と、
前記地図データ生成部が生成した地図データを前記利用者端末へ送信する地図データ送信部とを有するサーバ。
【請求項８】
利用者が操作する利用者端末と、該利用者端末へ地図データを提供するサーバと、前記地図データの生成に必要な複数の素材データをそれぞれ保有する複数の機関とを有する地図データ提供システムにおける地図データ提供方法であって、
前記サーバが、前記素材データを前記機関から取得する処理と、
前記サーバが、前記取得した素材データを、データベースに格納する処理と、
前記利用者端末が、前記利用者による所定の操作を受け付けた場合、前記地図データを前記サーバへ要求する処理と、
前記サーバが、前記利用者端末から前記地図データが要求された場合、該要求に応じた地図データの作成に必要な素材データを前記データベースから検索して読み出す処理と、
前記サーバが、前記読み出した素材データに基づいて、複数の時期パターンに応じた前記地図データを生成する処理と、
前記サーバが、前記生成した地図データを前記利用者端末へ送信する処理と、
前記利用者端末が、前記サーバから送信されてきた地図データを表示する処理とを行う地図データ提供方法。
【発明の詳細な説明】
【技術分野】
【０００１】
本発明は、地図データを提供する地図データ提供システム、サーバおよび地図データ提供方法に関する。
【背景技術】
【０００２】
一般的に用いられている地図は、現在の地形や道路、建物等を表示し、過去にその土地にどんなものがあったのか、その土地にはどんな災害発生等のリスクが存在するのかを表示するものではない。そのため、文献や石碑に残されている災害警告は、一部の場所でしか見ることができなかった。
【０００３】
そこで、近年、建物や土地に関する過去の事実を時系列的に管理し、管理している情報を地図のデータベースとして利用する技術が考えられている（例えば、特許文献１参照。）。
【０００４】
また、土地、不動産、自然産物など、災害の発生によってその財的価値が滅失する可能性のある対象物が抱えるリスクを定量化して評価するためのリスク情報提供システムが考えられている（例えば、特許文献２参照。）。
【先行技術文献】
【特許文献】
【０００５】
【特許文献１】特開２００３−３３０３６０号公報
【特許文献２】特開２００２−０２４４７３号公報
【発明の概要】
【発明が解決しようとする課題】
【０００６】
しかしながら、特許文献１に記載されたような技術においては、過去の事実は情報として利用可能となるが、未来の計画に関する情報を利用することはできないという問題点がある。
【０００７】
また、特許文献２に記載されたような技術においては、財的価値を損失するリスクしか測ることができないという問題点がある。さらに、ユーザビリティを意識した提示形式が用意されていない、多角的なリソースと連携されていないという問題点がある。
【０００８】
本発明の目的は、上述した課題を解決する地図データ提供システム、サーバおよび地図データ提供方法を提供することである。
【課題を解決するための手段】
【０００９】
本発明の地図データ提供システムは、
利用者が操作する利用者端末と、該利用者端末へ地図データを提供するサーバと、前記地図データの生成に必要な複数の素材データをそれぞれ保有する複数の機関とを有する地図データ提供システムにおいて、
前記サーバは、データベースを有し、前記素材データを前記機関から取得して前記データベースに格納し、前記利用者端末から前記地図データが要求された場合、該要求に応じた地図データの作成に必要な素材データを前記データベースから検索して読み出し、該読み出した素材データに基づいて、複数の時期パターンに応じた前記地図データを生成し、該生成した地図データを前記利用者端末へ送信し、
前記利用者端末は、前記利用者による所定の操作を受け付けた場合、前記地図データを前記サーバへ要求し、前記サーバから送信されてきた地図データを表示することを特徴とする。
【００１０】
また、本発明のサーバは、
利用者が操作する利用者端末へ地図データを提供するサーバであって、
前記地図データの作成に必要な複数の素材データを、該素材データを保有する機関から取得する素材データ取得部と、
前記素材データ取得部が取得した素材データを格納するデータベースと、
前記利用者端末から前記地図データを要求された場合、該要求に応じた地図データの作成に必要な素材データを前記データベースから検索して読み出す素材データ検索部と、
前記素材データ検索部が読み出した素材データに基づいて、複数の時期パターンに応じた前記地図データを生成する地図データ生成部と、
前記地図データ生成部が生成した地図データを前記利用者端末へ送信する地図データ送信部とを有する。
【００１１】
また、本発明の地図データ提供方法は、
利用者が操作する利用者端末と、該利用者端末へ地図データを提供するサーバと、前記地図データの生成に必要な複数の素材データをそれぞれ保有する複数の機関とを有する地図データ提供システムにおける地図データ提供方法であって、
前記サーバが、前記素材データを前記機関から取得する処理と、
前記サーバが、前記取得した素材データを、データベースに格納する処理と、
前記利用者端末が、前記利用者による所定の操作を受け付けた場合、前記地図データを前記サーバへ要求する処理と、
前記サーバが、前記利用者端末から前記地図データが要求された場合、該要求に応じた地図データの作成に必要な素材データを前記データベースから検索して読み出す処理と、
前記サーバが、前記読み出した素材データに基づいて、複数の時期パターンに応じた前記地図データを生成する処理と、
前記サーバが、前記生成した地図データを前記利用者端末へ送信する処理と、
前記利用者端末が、前記サーバから送信されてきた地図データを表示する処理とを行う。
【発明の効果】
【００１２】
本発明においては、その土地における過去の事実および未来の計画を認識することができる。
【図面の簡単な説明】
【００１３】
【図１】本発明の地図データ提供システムの実施の一形態を示す図である。
【図２】図１に示したサーバの内部構成の一例を示す図である。
【図３】図２に示したデータベースに格納されている都市計画データの一例を示す図である。
【図４】図２に示したデータベースに格納されている災害・気象データの一例を示す図である。
【図５】図２に示したデータベースに格納されている過去・歴史データの一例を示す図である。
【図６】図１に示したサーバが機関から素材データを取得する処理を説明するためのフローチャートである。
【図７】図１に示した地図データ提供システムにおける地図データ提供方法の一例を説明するためのシーケンス図である。
【図８】利用者端末に表示された現在の地図データの一例を示す図である。
【図９】過去・歴史パターンの地図データを生成する処理の一例を説明するためのフローチャートである。
【図１０】利用者端末に表示された未来パターンの地図データの一例を示す図である。
【図１１】利用者端末に表示された過去・歴史パターンの地図データの一例を示す図である。
【図１２】利用者端末に表示された災害パターンの地図データの一例を示す図である。
【図１３】図１に示した地図データ提供システムにおける地図データ提供方法の他の例を説明するためのシーケンス図である。
【発明を実施するための形態】
【００１４】
以下に、本発明の実施の形態について図面を参照して説明する。
【００１５】
図１は、本発明の地図データ提供システムの実施の一形態を示す図である。
【００１６】
本形態は図１に示すように、サーバ１００と、利用者端末２００と、行政機関３００と、地方自治体４００と、民間企業５００とが、互いに電気通信ネットワークであるネットワーク６００を介して接続された形態となっている。
【００１７】
サーバ１００は、利用者端末２００へ地図データを提供する。サーバ１００の詳細な構成および動作については、後述する。
【００１８】
利用者端末２００は、利用者が操作する通信機能および画面表示機能を具備した情報処理装置である。また、利用者端末２００は、利用者による所定の操作を受け付けた場合、地図データをサーバ１００へ要求する。このとき、利用者端末２００は、地図データを要求する旨を示す要求信号をサーバ１００へ送信する。また、利用者端末２００は、サーバ１００から送信されてきた地図データを表示する。なお、このサーバ１００へ地図データの要求を行ったり、サーバ１００から送信されてきた地図データを表示したりするには、ブラウザを用いる。
【００１９】
また、利用者端末２００は、地図データを要求する際、上述した要求信号に要求する地図データの位置情報を含めて、サーバ１００へ送信する。例えば、利用者端末２００がＧＰＳ（Ｇｌｏｂａｌ  Ｐｏｓｉｔｉｏｎｉｎｇ  Ｓｙｓｔｅｍ）機能等の位置情報取得機能を具備している場合、当該機能を用いて利用者端末２００の位置を示す位置情報を取得し、取得した位置情報を要求信号に含めてサーバ１００へ送信するものであっても良い。また、利用者が、利用者端末２００に、要求する地図の位置を示す位置情報を入力する等の所定の操作を行い、当該操作で入力された位置情報を要求信号に含めてサーバ１００へ送信するものであっても良い。なお、この位置情報は、緯度および経度や住所等、位置を特定できるものであれば良い。
【００２０】
行政機関３００、地方自治体４００および民間企業５００は、地図データの生成に必要な複数の素材データをそれぞれ保有する機関である。
【００２１】
例えば、行政機関３００は、今後の都市計画データ等の素材データや、過去に発生した地震等の天災による被害状況を示す素材データ等を保有する。
【００２２】
また、地方自治体４００は、古地図情報の素材データや、その地の歴史に関わる情報の素材データ等を保有する。
【００２３】
また、民間企業５００は、様々なサービスを提供している企業であり、例えば、気象情報等を提供する気象コンテンツサービス事業５１０、航空写真や衛星写真を提供する航空・衛星写真情報サービス５２０、報道情報を提供するニュースコンテンツ動画サービス５３０等である。
【００２４】
これらの機関とサーバ１００とは、プログラム制御により、データ連携されている。
【００２５】
図２は、図１に示したサーバ１００の内部構成の一例を示す図である。
【００２６】
図１に示したサーバ１００には図２に示すように、素材データ取得部１１０と、データベース１２０と、素材データ検索部１３０と、地図データ生成部１４０と、地図データ送信部１５０とが設けられている。
【００２７】
素材データ取得部１１０は、地図データの作成に必要な複数の素材データを、行政機関３００、地方自治体４００および民間企業５００のうち、当該素材データを保有する機関から取得する。この取得には、素材データ取得部１１０から要求信号を機関へ送信し、当該要求信号に対して機関から送信されてきた素材データを取得するものであっても良いし、機関から所定のタイミングで送信されてきた素材データを取得するものであっても良い。
【００２８】
データベース１２０は、素材データ取得部１１０が取得した素材データを格納する。格納された素材データには、例えば図２に示すように、都市計画データ１２１、災害・気象データ１２２、過去・歴史データ１２３、現在データ１２４がある。
【００２９】
都市計画データ１２１は、行政機関３００から取得したものである。また、災害・気象データ１２２は、行政機関３００または気象コンテンツサービス事業５１０を行っている民間企業５００から取得したものである。また、過去・歴史データ１２３は、地方自治体４００から取得したものである。また、現在データ１２４は、行政機関３００または航空・衛星写真情報サービス５２０やニュースコンテンツ動画サービス５３０を提供する民間企業５００から取得したものである。なお、現在データ１２４は、現在データを地図情報として蓄積して行く。
【００３０】
図３は、図２に示したデータベース１２０に格納されている都市計画データ１２１の一例を示す図である。
【００３１】
図２に示したデータベース１２０に格納されている都市計画データ１２１は図３に示すように、計画された建設・建築の位置を示す位置情報と、完成予定年月と、種類（ビル、マンション、駅等の建物や道路、鉄道等の種類）とが対応付けられたものである。
【００３２】
図４は、図２に示したデータベース１２０に格納されている災害・気象データ１２２の一例を示す図である。
【００３３】
図２に示したデータベース１２０に格納されている災害・気象データ１２２は図４に示すように、災害が発生した位置を示す位置情報と、災害が発生した発生年月と、被災した範囲と、被害内容（地震、津波、土砂崩れ、台風、火山噴火、洪水等）とが対応付けられたものである。
【００３４】
図５は、図２に示したデータベース１２０に格納されている過去・歴史データ１２３の一例を示す図である。
【００３５】
図２に示したデータベース１２０に格納されている過去・歴史データ１２３は図５に示すように、位置情報と、その情報が示す時期と、種類（田んぼ、畑、埋め立て地、歴史的文化財等）と、その広さ（大きさ）とが対応付けられたものである。
【００３６】
素材データ検索部１３０は、利用者端末２００から地図データを要求された場合、その要求に応じた地図データの作成に必要な素材データをデータベース１２０から検索して読み出す。このとき、素材データの検索キーとなるものは、利用者端末２００から送信されてきた位置情報である。つまり、素材データそれぞれは、地図を生成するためのものであるから、上述したように位置情報と対応付けられてデータベース１２０に格納されており、素材データ検索部１３０は、利用者端末２００から送信されてきた位置情報をデータベース１２０から検索し、検索できた位置情報と対応付けられている素材データを読み出す。
【００３７】
地図データ生成部１４０は、素材データ検索部１３０が読み出した素材データに基づいて、複数の時期パターン（未来、現在、過去、被災状況等）に応じた地図データを生成する。このとき、地図データ生成部１４０は、複数の時期パターンの地図データを生成する。
【００３８】
例えば、地図データ生成部１４０は図２に示すように、未来パターン１４１と、災害パターン１４２と、過去・歴史パターン１４３と、現在パターン１４４とを生成する。
【００３９】
未来パターン１４１は、未来の地図を示す地図データである。また、災害パターン１４２は、災害による被災状況を示す地図データである。また、過去・歴史パターン１４３は、過去の地図を示す地図データである。また、現在パターン１４４は、現在の地図を示す地図データである。このような時期パターンを用いることで、地図データ生成部１４０は、過去、現在および未来の地図データを生成することができる。
【００４０】
地図データ送信部１５０は、地図データ生成部１４０が生成した地図データを利用者端末２００へ送信する。このとき、地図データ送信部１５０は、地図データ生成部１４０が生成した地図データのうち、利用者端末２００からの要求に応じた地図データを利用者端末２００へ送信する。
【００４１】
以下に、サーバ１００が機関から素材データを取得する処理について説明する。
【００４２】
図６は、図１に示したサーバ１００が機関から素材データを取得する処理を説明するためのフローチャートである。
【００４３】
まず、サーバ１００の素材データ取得部１１０が、行政機関３００または地方自治体４００または民間企業５００の機関へアクセスして接続する（ステップＳ１）。このアクセスは、所定のタイミングで行われるものであっても良いし、サーバ１００を操作する者からの所定の入力があったタイミングで行われるものであっても良い。
【００４４】
すると、素材データ取得部１１０から機関へ、素材データが要求される（ステップＳ２）。この要求は、素材データを要求する旨を示す所定の信号を送信することで実現されるものであっても良い。
【００４５】
その後、要求に対して機関から送信された素材データが素材データ取得部１１０にて受信されると（ステップＳ３）、受信して取得した素材データがデータベース１２０に格納される（ステップＳ４）。
【００４６】
次に、図１に示した地図データ提供システムにおける地図データ提供方法について説明する。
【００４７】
図７は、図１に示した地図データ提供システムにおける地図データ提供方法の一例を説明するためのシーケンス図である。
【００４８】
まず、利用者端末２００の利用者が、利用者端末２００にてブラウザを起動し、利用者端末２００が所定の操作を受け付けると、利用者端末２００から地図データを要求する地図データ要求信号が送信される（ステップＳ１１）。
【００４９】
利用者端末２００から送信された地図データ要求信号がサーバ１００にて受信されると（ステップＳ１２）、素材データ検索部１３０によってデータベース１２０の中の現在データ１２４から現在の地図の素材データが検索され、読み出される（ステップＳ１３）。この検索は上述したように、利用者端末２００から送信されてきた地図データ要求信号に含まれる位置情報を検索キーとして行われる。
【００５０】
続いて、素材データ検索部１３０がデータベース１２０の中から読み出した素材データに基づいて、地図データ生成部１４０によって現在の地図データが現在パターン１４４として生成される（ステップＳ１４）。
【００５１】
現在の地図データが生成されると、生成された現在の地図データが地図データ送信部１５０から利用者端末２００へ送信される（ステップＳ１５）。
【００５２】
サーバ１００から送信された現在の地図データが利用者端末２００にて受信されると（ステップＳ１６）、受信された現在の地図データが利用者端末２００にてブラウザを用いて表示される（ステップＳ１７）。
【００５３】
図８は、利用者端末２００に表示された現在の地図データの一例を示す図である。
【００５４】
利用者端末２００に表示された現在の地図データは図８に示すように、現在の道路や建物が表示されるものである。また、年代および災害の内容が選択可能に、複数の選択肢としてラジオボタンが表示される。このラジオボタンを利用者が選択することで、利用者端末２００は、時期パターンの選択が行われたことを認識する。
【００５５】
利用者が利用者端末２００に表示されたラジオボタンを選択することで、その選択が利用者端末２００にて認識されると（ステップＳ１８）、選択されたラジオボタンに対応する時期パターンの地図データが利用者端末２００からサーバ１００へ要求される（ステップＳ１９）。この要求は、要求する時期パターンがどの時期パターンなのかをサーバ１００にて認識できる信号（時期パターン要求信号）を送信することで実現される。
【００５６】
利用者端末２００から送信された時期パターン要求信号がサーバ１００にて受信されると（ステップＳ２０）、素材データ検索部１３０によってデータベース１２０の中の、要求された時期パターンに該当するデータから素材データが検索され、読み出される（ステップＳ２１）。
【００５７】
例えば、未来の時期パターンの地図データが要求された場合、素材データ検索部１３０によってデータベース１２０の都市計画データ１２１から素材データが検索され、読み出される。また、過去の時期パターンの地図データが要求された場合、素材データ検索部１３０によってデータベース１２０の過去・歴史データ１２３から素材データが検索され、読み出される。また、災害の時期パターンの地図データが要求された場合、素材データ検索部１３０によってデータベース１２０の災害・気象データ１２２から素材データが検索され、読み出される。
【００５８】
また、この検索は上述したように、ステップＳ１１にて利用者端末２００から送信されてきた地図データ要求信号に含まれる位置情報と要求された時期パターンとを検索キーして行われる。
【００５９】
続いて、素材データ検索部１３０がデータベース１２０の中から読み出した素材データに基づいて、地図データ生成部１４０によって地図データが生成される（ステップＳ２２）。
【００６０】
例えば、未来の時期パターンの地図データが要求された場合、素材データ検索部１３０によってデータベース１２０の都市計画データ１２１から読み出された素材データに基づいて、未来パターン１４１の地図データが生成される。また、過去の時期パターンの地図データが要求された場合、素材データ検索部１３０によってデータベース１２０の過去・歴史データ１２３から読み出された素材データに基づいて、過去・歴史パターン１４３の地図データが生成される。また、災害の時期パターンの地図データが要求された場合、素材データ検索部１３０によってデータベース１２０の災害・気象データ１２２から読み出された素材データに基づいて、災害パターン１４２の地図データが生成される。
【００６１】
図９は、過去・歴史パターン１４３の地図データを生成する処理の一例を説明するためのフローチャートである。
【００６２】
まず、素材データ検索部１３０によって過去・歴史データから検索された古地図情報が、地図データ生成部１４０によってスキャンされる（ステップＳ３１）。
【００６３】
続いて、スキャンされた古地図情報の緯度、経度、地形に基づいて、地図パターン（過去・歴史パターン１４３）が地図データ生成部１４０によって生成される（ステップＳ３２）。
【００６４】
地図データが生成されると、生成された地図データが地図データ送信部１５０から利用者端末２００へ送信される（ステップＳ２３）。
【００６５】
サーバ１００から送信された地図データが利用者端末２００にて受信されると（ステップＳ２４）、受信された地図データが利用者端末２００にてブラウザを用いて表示される（ステップＳ２５）。
【００６６】
図１０は、利用者端末２００に表示された未来パターンの地図データの一例を示す図である。
【００６７】
利用者端末２００には図１０に示すように、１０年後までに建築や建設が計画されている建物等の未来パターンの地図データが表示される。
【００６８】
図１１は、利用者端末２００に表示された過去・歴史パターンの地図データの一例を示す図である。
【００６９】
利用者端末２００には図１１に示すように、２０年前の過去・歴史パターンの地図データが表示される。
【００７０】
図１２は、利用者端末２００に表示された災害パターンの地図データの一例を示す図である。
【００７１】
利用者端末２００には図１２に示すように、地震を被災した地域を示す災害パターンの地図データが表示される。
【００７２】
図１３は、図１に示した地図データ提供システムにおける地図データ提供方法の他の例を説明するためのシーケンス図である。
【００７３】
まず、利用者端末２００の利用者が、利用者端末２００にてブラウザを起動し、利用者端末２００が所定の操作を受け付けると、利用者端末２００から地図データを要求する地図データ要求信号が送信される（ステップＳ４１）。
【００７４】
利用者端末２００から送信された地図データ要求信号がサーバ１００にて受信されると（ステップＳ４２）、素材データ検索部１３０によってデータベース１２０の中から全ての時期パターンの地図データに必要な素材データが検索され、読み出される（ステップＳ４３）。この検索は上述したように、利用者端末２００から送信されてきた地図データ要求信号に含まれる位置情報を検索キーとして行われる。
【００７５】
続いて、素材データ検索部１３０がデータベース１２０の中から読み出した素材データに基づいて、地図データ生成部１４０によって全ての時期パターンの地図データが生成される（ステップＳ４４）。
【００７６】
全ての時期パターンの地図データが生成されると、生成された全ての時期パターンの地図データが地図データ送信部１５０から利用者端末２００へ送信される（ステップＳ４５）。
【００７７】
サーバ１００から送信された全ての時期パターンの地図データが利用者端末２００にて受信されると（ステップＳ４６）、受信された全ての時期パターンの地図データのうち、現在の地図データが利用者端末２００にてブラウザを用いて表示される（ステップＳ４７）。表示された画面は、図８に示したものと同じで良い。
【００７８】
利用者が利用者端末２００に表示されたラジオボタンを選択することで、その選択が利用者端末２００にて認識されると（ステップＳ４８）、選択されたラジオボタンに対応する時期パターンの地図データが利用者端末２００にてブラウザを用いて表示される（ステップＳ４９）。
【００７９】
このように、利用者端末２００から地図データの要求があった際、サーバ１００が全ての時期パターンの地図データを生成して、利用者端末２００へ送信しておけば、利用者が時期パターンを選択するたびに、利用者端末２００とサーバ１００との間でのやり取りが発生してしまうことを防ぐことができる。
【００８０】
なお、複数の時期パターンの選択を受け付けることで、複数の時期パターンの地図データを互いに重ね合わせて階層表示するものであっても良い。例えば、過去のパターンの地図データと、現在のパターンの地図データと、未来のパターンの地図データとを重ね合わせて、階層表示するものであっても良い。
【００８１】
また、サーバ１００に具備された構成要素は、互いに異なる装置に具備されて、それらの装置が統合して１つのシステムとして構成するものであっても良い。
【００８２】
以上説明した本発明においては、以下の効果を得ることができる。
【００８３】
第１の効果は、災害対策につながることである。
【００８４】
その理由は、過去の災害リスクをエンドユーザが簡単に入手できるためである。
【００８５】
第２の効果は、歴史的な地図や写真、動画、ニュースを保存できることにある。
【００８６】
その理由は、過去の紙データや現在のデータをデータベースに保存するためである。
【００８７】
第３の効果は、未来や過去の景色を疑似体験してみるということができることにある。
【００８８】
その理由は、地図情報に時間的な情報を加えるためである。
【符号の説明】
【００８９】
１００    サーバ
１１０    素材データ取得部
１２０    データベース
１２１    都市計画データ
１２２    災害・気象データ
１２３    過去・歴史データ
１２４    現在データ
１３０    素材データ検索部
１４０    地図データ生成部
１４１    未来パターン
１４２    災害パターン
１４３    過去・歴史パターン
１４４    現在パターン
１５０    地図データ送信部
２００    利用者端末
３００    行政機関
４００    地方自治体
５００    民間企業
５１０    気象コンテンツサービス事業
５２０    航空・衛星写真情報サービス
５３０    ニュースコンテンツ動画サービス
６００    ネットワーク
【図１】
2013041088.tif 000003
【図２】
2013041088.tif 000004
【図３】
2013041088.tif 000005
【図４】
2013041088.tif 000006
【図５】
2013041088.tif 000007
【図６】
2013041088.tif 000008
【図７】
2013041088.tif 000009
【図８】
2013041088.tif 000010
【図９】
2013041088.tif 000011
【図１０】
2013041088.tif 000012
【図１１】
2013041088.tif 000013
【図１２】
2013041088.tif 000014
【図１３】
2013041088.tif 000015